(57)【要約】【課題】内容物を吐出する前の待機状態で、ノズル筒が邪魔にならず、吐出容器の見映えの悪化を防ぐことができるだけでなく、優れた操作性を具備させる。【解決手段】容器本体１１と、吐出器１５と、操作ヘッド１６を備える外容器１７と、を備え、外容器１７に、通過孔３５が形成され、外容器１７に、ノズル筒１３が通過孔３５を通過するように容器本体１１を揺動自在に支持する支持部材２６と、容器本体１１が、ノズル筒１３が通過孔３５から突出する突出姿勢のときに、支持部材２６を復元変位させる付勢部材２７と、が備えられ、操作ヘッド１６に、下方に向けて突設され、操作ヘッド１６の押下ヘッド１４に対する下降移動に伴い、第１係合突部２９に摺接して、容器本体１１を突出姿勢にする第１操作突片３０と、操作ヘッド１６の押下ヘッド１４に対する下降移動に伴い、押下ヘッド１４を押下する押下部３１と、が備えられている。【選択図】図１
2015143121.tif 000002
【特許請求の範囲】
【請求項１】
内容物が収容される容器本体と、
径方向の外側に向けて突出し前端に吐出孔が形成されたノズル筒を有する押下ヘッドを備えるとともに、前記押下ヘッドの押下により、前記吐出孔から内容物が吐出される吐出器と、
前記押下ヘッドの上方に前記押下ヘッドに対して下降移動自在に配設された操作ヘッドを備えるとともに、前記容器本体および前記吐出器を収容する外容器と、を備え、
前記外容器には、前記ノズル筒が出没可能な通過孔が形成され、
前記外容器には、前記ノズル筒が前記通過孔を通過するように前記容器本体を揺動自在に支持する支持部材と、前記容器本体が、前記ノズル筒が前記通過孔から突出する突出姿勢のときに、前記支持部材を復元変位させる付勢部材と、が備えられ、
前記操作ヘッドには、下方に向けて突設され、前記操作ヘッドの前記押下ヘッドに対する下降移動に伴い、前記容器本体、前記吐出器または前記支持部材に突設された第１係合突部に摺接して、前記容器本体を前記突出姿勢にする第１操作突片と、前記操作ヘッドの前記押下ヘッドに対する下降移動に伴い、前記押下ヘッドを押下する押下部と、が備えられていることを特徴とする吐出容器。
【請求項２】
前記第１操作突片は、前記押下部が前記押下ヘッドを押下するときに、前記第１係合突部に摺接することで、前記支持部材が復元変位するように前記容器本体が揺動することを規制することを特徴とする請求項１記載の吐出容器。
【発明の詳細な説明】
【技術分野】
【０００１】
本発明は、吐出容器に関する。
【背景技術】
【０００２】
従来、例えば下記特許文献１に示されるような、前方に向けて延びるノズル筒を有し、かつ前後動自在に配設された押下ヘッドと、押下ヘッドを囲い、かつ押下ヘッドの前後動に伴い、ノズル筒が出没する通過孔が形成されたカバー体と、を備える吐出容器が知られている。
この吐出容器においては、内容物を吐出する前の待機状態で、ノズル筒をカバー体の内側に収容しておくので、ノズル筒が邪魔にならないばかりでなく、吐出容器の見映えの悪化を防ぐこともできる。
【先行技術文献】
【特許文献】
【０００３】
【特許文献１】実用新案登録第２５３９１８１号公報
【発明の概要】
【発明が解決しようとする課題】
【０００４】
しかしながら、前記従来の吐出容器では、内容物の吐出に際し、押下ヘッドをカバー体に対して前進移動させる操作、及び押下ヘッドを押下する操作の双方を行う必要があり、また、内容物の吐出後も、押下ヘッドをカバー体に対して後退移動させる操作が必要になるため、操作性を向上させることに改善の余地があった。
【０００５】
本発明は、前述した事情に鑑みてなされたものであって、内容物を吐出する前の待機状態で、ノズル筒が邪魔にならず、吐出容器の見映えの悪化を防ぐことができるだけでなく、優れた操作性を具備させることもできる吐出容器を提供することを目的とする。
【課題を解決するための手段】
【０００６】
前記課題を解決するために、本発明は以下の手段を提案している。
本発明に係る吐出容器は、内容物が収容される容器本体と、径方向の外側に向けて突出し前端に吐出孔が形成されたノズル筒を有する押下ヘッドを備えるとともに、前記押下ヘッドの押下により、前記吐出孔から内容物が吐出される吐出器と、前記押下ヘッドの上方に前記押下ヘッドに対して下降移動自在に配設された操作ヘッドを備えるとともに、前記容器本体および前記吐出器を収容する外容器と、を備え、前記外容器には、前記ノズル筒が出没可能な通過孔が形成され、前記外容器には、前記ノズル筒が前記通過孔を通過するように前記容器本体を揺動自在に支持する支持部材と、前記容器本体が、前記ノズル筒が前記通過孔から突出する突出姿勢のときに、前記支持部材を復元変位させる付勢部材と、が備えられ、前記操作ヘッドには、下方に向けて突設され、前記操作ヘッドの前記押下ヘッドに対する下降移動に伴い、前記容器本体、前記吐出器または前記支持部材に突設された第１係合突部に摺接して、前記容器本体を前記突出姿勢にする第１操作突片と、前記操作ヘッドの前記押下ヘッドに対する下降移動に伴い、前記押下ヘッドを押下する押下部と、が備えられていることを特徴とする。
【０００７】
この場合、内容物を吐出するときには、外容器の操作ヘッドを押下して押下ヘッドに対して下降移動させると、操作ヘッドの第１操作突片が、支持部材の第１係合突部に摺接することで、支持部材が容器本体を揺動させ、吐出器のノズル筒が通過孔から突出する。このような突出姿勢の容器本体において、押下ヘッドが、下降移動する操作ヘッドの押下部により押下されると、吐出器が作動して容器本体内の内容物が吐出孔から吐出される。
内容物を吐出した後、操作ヘッドの押下を解除すると、付勢部材により支持部材が復元変位させられ、通過孔から突出していたノズル筒が外容器内に収容される。
この吐出容器によれば、単に外容器の操作ヘッドを押下することで、ノズル筒を通過孔から突出させて内容物を吐出することができ、かつ、操作ヘッドの押下を解除することで、通過孔から突出していたノズル筒を外容器内に収容することができる。これにより、内容物を吐出する前の待機状態で、ノズル筒が邪魔にならず、吐出容器の見映えの悪化を防ぐことができるだけでなく、優れた操作性を具備させることができる。
また操作ヘッドが、第１操作突片によって容器本体を揺動させる一方、押下部によって押下ヘッドを押下させるので、第１操作突片と押下部とをそれぞれ適宜設計することで、容器本体の揺動および押下ヘッドの押下それぞれの程度を個別に調整することが可能になり、より優れた操作性を具備させることができる。
【０００８】
また、前記第１操作突片は、前記押下部が前記押下ヘッドを押下するときに、前記第１係合突部に摺接することで、前記支持部材が復元変位するように前記容器本体が揺動することを規制してもよい。
【０００９】
この場合、押下部が押下ヘッドを押下するときに、第１操作突片が第１係合突部に摺接することで、支持部材が復元変位するように容器本体が揺動することを規制するので、操作ヘッドが、押下部を介して押下ヘッドを押下するときに、操作性を確保しつつ容器本体を安定に突出姿勢に保持することができる。
【発明の効果】
【００１０】
本発明によれば、内容物を吐出する前の待機状態で、ノズル筒が邪魔にならず、吐出容器の見映えの悪化を防ぐことができるだけでなく、優れた操作性を具備させることもできる。
【図面の簡単な説明】
【００１１】
【図１】本発明の第１実施形態に係る吐出容器を示す縦断面図であって、容器本体および吐出器を側面図で示したものである。
【図２】図１に示す吐出容器の平面図である。
【図３】図１に示す吐出容器を構成する容器本体、吐出器および支持部材を組み合わせたものの平面図である。
【図４】図１に示す吐出容器において操作ヘッドを押下した状態を示す縦断面図である。
【図５】図４に示すＡ−Ａ断面矢視図に相当する横断面図であって、支持部材から容器本体を取り外した状態を示したものである。
【図６】図４に示すＢ−Ｂ断面矢視図に相当する横断面図であって、容器本体および吐出器を平面図で示したものである。
【図７】図４に示す吐出容器において操作ヘッドを更に押下した状態を示す縦断面図である。
【図８】本発明の第２実施形態に係る吐出容器を示す縦断面図であって、容器本体および吐出器を、部分断面とされた側面図で示したものである。
【図９】図８に示す吐出容器の要部の縦断面図である。
【図１０】図８に示す吐出容器において操作ヘッドを押下した状態を示す縦断面図である。
【図１１】図１０に示す吐出容器の要部の縦断面図である。
【図１２】図１０に示す吐出容器において操作ヘッドを更に押下した状態を示す縦断面図である。
【図１３】図１２に示す吐出容器の要部の縦断面図である。
【図１４】図１２に示す吐出容器において操作ヘッドを更に押下した状態を示す縦断面図である。
【図１５】図１４に示す吐出容器の要部の縦断面図である。
【発明を実施するための形態】
【００１２】
（第１実施形態）
以下、図１から図７を参照し、本発明の第１実施形態に係る吐出容器を説明する。
図１から図３に示すように、吐出容器１０は、内容物が収容される容器本体１１と、径方向の外側に向けて突出し前端に吐出孔１３ａが形成されたノズル筒１３を有する押下ヘッド１４を備える吐出器１５と、押下ヘッド１４の上方に押下ヘッド１４に対して下降移動自在に配設された操作ヘッド１６を備える外容器１７と、を備えている。
【００１３】
外容器１７は、容器本体１１および吐出器１５を収容している。外容器１７は、内部に前記操作ヘッド１６が上下摺動自在に嵌合された有頂筒状の本体筒部１８と、本体筒部１８の開口端部を閉塞する有底筒状の底筒部１９と、を備えている。
ここで操作ヘッド１６は、有頂筒状に形成されていて、外容器１７を構成する操作ヘッド１６、本体筒部１８および底筒部１９の各中心軸は、共通軸上に位置している。以下、この共通軸を外容器軸Ｏ１といい、外容器軸Ｏ１に沿う操作ヘッド１６側を上側、底筒部１９側を下側という。さらに、この吐出容器１０を、外容器軸Ｏ１方向から見た平面視において、外容器軸Ｏ１に直交する方向を径方向といい、外容器軸Ｏ１回りに周回する方向を周方向という。
【００１４】
本体筒部１８には、本体孔２０と、切欠き部２１と、が形成されている。
本体孔２０は、本体筒部１８の周壁部の上部に形成されていて、ノズル筒１３が出没可能とされている。本体孔２０は、外容器軸Ｏ１方向に長い長穴状に形成されていて、前記平面視において、本体孔２０の中心軸は、外容器軸Ｏ１に直交する。以下では、前記平面視において、本体孔２０の中心軸に沿う方向を前後方向といい、前後方向に沿って外容器軸Ｏ１に対する本体孔２０側を前側といい、その反対側を後側という。さらに、前記平面視において、本体孔２０の中心軸に直交する方向を左右方向という。
切欠き部２１は、本体筒部１８の頂壁部の中央部から後側に向けて、本体筒部１８の周壁部の上部にわたるまで延びている。切欠き部２１は、操作ヘッド１６の頂壁部を外容器１７の外部に露出させている。
【００１５】
操作ヘッド１６は、有頂筒状に形成され、下側に向けて開口していて本体筒部１８内に嵌合されている。操作ヘッド１６の頂壁部の一部は、本体筒部１８の頂壁部に下側から係合可能となっている。操作ヘッド１６には、本体孔２０に連通可能な貫通孔２２が形成されている。貫通孔２２は、操作ヘッド１６の周壁部の前部に形成されていて、本体孔２０と周方向に同等の位置に形成されている。貫通孔２２は、外容器軸Ｏ１方向に延びるとともに下側に向けて開口する長穴状に形成されている。
ここで、前記本体孔２０および前記貫通孔２２は、外容器１７に形成されるとともにノズル筒１３が出没可能な通過孔３５を構成する。
【００１６】
底筒部１９は、本体筒部１８の開口端部である下端部内に嵌合されている。底筒部１９には、上方に向けて開口する孔部が形成された軸受部２３が立設されている。
【００１７】
容器本体１１は、内容物が収容され、かつ口部を有する本体部３６と、前記口部に装着された装着キャップ１２と、を備えている。本体部３６は、有底筒状に形成されていて、吐出器１５は、押下ヘッド１４の押下により、吐出孔１３ａから内容物を吐出する。なお、容器本体１１および吐出器１５は、外容器１７内に収容される内容器２４を構成する。
【００１８】
ここで内容器２４では、本体部３６および装着キャップ１２の各中心軸は、共通軸上に位置している。以下、この共通軸を内容器軸Ｏ２という。内容器軸Ｏ２は、外容器軸Ｏ１に交差していて、内容器軸Ｏ２と外容器軸Ｏ１とは、容器本体１１上で交差している。内容器軸Ｏ２は、外容器軸Ｏ１と交差する部分よりも上側に向かうに従い漸次、後側に向かうように、外容器軸Ｏ１に対して傾斜している。内容器２４は、外容器軸Ｏ１に対して後側に向けて傾いている。内容器２４の後部の外周面は、操作ヘッド１６の後部の内周面
よりも前側に位置していて、内容器２４の後側において、内容器２４と操作ヘッド１６とは離間している。
【００１９】
装着キャップ１２は、本体部３６の口部に外装されている。装着キャップ１２内には、上方付勢状態で下方移動可能に設けられた図示しないステムが挿通されている。
押下ヘッド１４は、有頂筒状に形成され、前記ステムの上端部に装着されていて、前記ステムにより、上方付勢状態で下方移動可能に保持されている。押下ヘッド１４は、内容器軸Ｏ２と同軸に配置され、装着キャップ１２から上側に向けて突出している。
【００２０】
ノズル筒１３は、押下ヘッド１４の外周面から前側に向けて突出している。ノズル筒１３の中心軸は、内容器軸Ｏ２に交差し、図示の例では直交している。ノズル筒１３は、外容器１７の内部に収容されていて、ノズル筒１３の前端は、操作ヘッド１６の貫通孔２２内に位置している。
【００２１】
押下ヘッド１４には、上係合突部（第２係合突部）２５が設けられている。上係合突部２５は、押下ヘッド１４において内容器軸Ｏ２を間に挟むように一対設けられていて、各上係合突部２５は、押下ヘッド１４から左右方向の両側に向けて各別に突出している。上係合突部２５は、この吐出容器１０を左右方向から見た側面視において、真円形状に形成され、内容器軸Ｏ２上に配置されている。
【００２２】
外容器１７には、支持部材２６と、付勢部材２７と、が備えられている。
支持部材２６は、ノズル筒１３が通過孔３５を通過するように容器本体１１を揺動自在に支持する。支持部材２６は、有底筒状に形成され、容器本体１１の底部に外側から嵌合している。支持部材２６の底壁部には、左右方向に延びる揺動軸部２８が一体に形成されている。揺動軸部２８は、支持部材２６の底壁部から下側に延びる左右一対の板部材の間に架設されていて、外容器１７の前記軸受部２３内に嵌合されている。支持部材２６は、揺動軸部２８を中心に前後方向に揺動可能とされている。
【００２３】
付勢部材２７は、容器本体１１が、図４に示すようなノズル筒１３が通過孔３５から突出する突出姿勢のときに、支持部材２６を復元変位させる。図１から図３に示すように、付勢部材２７は、支持部材２６の底壁部と底筒部１９の底壁部との間に配置されている。付勢部材２７は、支持部材２６と一体に形成されていて、支持部材２６から下側に向けて延びる板ばねにより構成されている。付勢部材２７は、この付勢部材２７の基端部から先端部に向けて、支持部材２６から下側に向けて延びた後、後側に向けて湾曲されていて、付勢部材２７の先端部は、底筒部１９の底壁部上に配置されている。なお図示の例では、付勢部材２７は、この吐出容器１０が、図１に示すような待機状態であるときは、外力が加えられていない自然長状態、または弾性的に圧縮変形させられた圧縮状態となっている。
【００２４】
図１から図３に示すように、支持部材２６には、下係合突部（第１係合突部）２９が備えられている。下係合突部２９は、支持部材２６の外周面から突出するように一対設けられていて、支持部材２６から左右方向の両側に向けて各別に突出している。下係合突部２９は、前記側面視において、真円形状に形成され、内容器軸Ｏ２よりも前側に配置されている。
【００２５】
ここで外容器１７には、第１操作突片３０と、第２操作突片（押下部）３１と、が備えられている。
第１操作突片３０は、操作ヘッド１６の押下ヘッド１４に対する下降移動に伴い、前記下係合突部２９に摺接して容器本体１１を突出姿勢にする。第１操作突片３０は、操作ヘッド１６の周壁部の下端縁から下方に向けて突設されている。第１操作突片３０は、支持部材２６を左右方向の両外側から挟むように配置されている。第１操作突片３０は、前記平面視において前側に向けて開口するＣ字状に形成されていて、操作ヘッド１６の周壁部の内周面および外周面それぞれと面一に形成されている。
【００２６】
第１操作突片３０の下端縁は、前記側面視において外容器軸Ｏ１に直交する直線状に形成されている。第１操作突片３０の前端縁は、前記側面視において外容器軸Ｏ１に沿って延びる直線状に形成されている。第１操作突片３０の下端縁と前端縁とが連結する角部は切りかかれていて、この角部には、前記側面視において前側に向かうに従い漸次、上側に向けて直線状に延びる傾斜縁３０ａが設けられている。傾斜縁３０ａは、下係合突部２９に摺動可能に当接していて、操作ヘッド１６は、第１操作突片３０、下係合突部２９および支持部材２６を介して底筒部１９に支持されている。
【００２７】
第２操作突片３１は、操作ヘッド１６の押下ヘッド１４に対する下降移動に伴い、押下ヘッド１４を押下する。第２操作突片３１は、操作ヘッド１６の頂壁部から下方に向けて突設されている。第２操作突片３１は、押下ヘッド１４を左右方向の両外側から挟むように配置されている。第２操作突片３１は、前記平面視において後側に向けて開口するＣ字状に形成されている。第２操作突片３１の両後端部は、両後端部それぞれから左右方向の外側に向けて突出する連結板３２を介して、操作ヘッド１６の周壁部の内周面に各別に連結されている。
【００２８】
第２操作突片３１には、挿通孔３３と、係合凹部３４と、が設けられている。
挿通孔３３には、ノズル筒１３が前後方向に移動可能に挿通されている。挿通孔３３は、第２操作突片３１の前部に形成されていて、通過孔３５と周方向に同等の位置に形成されている。挿通孔３３は、下側に向けて開口している。
係合凹部３４は、第２操作突片３１の両後端部に各別に形成されている。係合凹部３４は、前記側面視において矩形状に形成され、下側および後側に向けて開口している。
【００２９】
次に、前記吐出容器１０の作用について説明する。
内容物を吐出するときには、外容器１７の操作ヘッド１６を押下して押下ヘッド１４に対して下降移動させると、操作ヘッド１６の第１操作突片３０が、支持部材２６の下係合突部２９に摺接する。このとき本実施形態では、第１操作突片３０が下降移動しながら、第１操作突片３０の傾斜縁３０ａが、下係合突部２９に摺接し、第１操作突片３０の下降移動に伴って下係合突部２９が前側に移動させられる。これにより、支持部材２６が、付勢部材２７を弾性変形させながら、容器本体１１を揺動軸部２８回りの前側に揺動させ、図４から図６に示すように、吐出器１５のノズル筒１３が通過孔３５から前側に突出する。このとき、内容器軸Ｏ２は、外容器軸Ｏ１よりも前側に位置した状態で、外容器軸Ｏ１に沿って延びている。
【００３０】
このような突出姿勢の容器本体１１において、押下ヘッド１４の上係合突部２５は、第２操作突片３１の係合凹部３４内に進入しこの係合凹部３４に係合する。図７に示すように、操作ヘッド１６が更に下降移動し、押下ヘッド１４が、操作ヘッド１６の第２操作突片３１および上係合突部２５を介して押下されると、吐出器１５が作動して容器本体１１内の内容物が吐出孔１３ａから吐出される。なおこのとき、第１操作突片３０の前端縁が、下係合突部２９に摺接することで、付勢部材２７による支持部材２６の揺動軸部２８回りの復元変位が規制され、支持部材２６が復元変位するように容器本体１１が揺動することが規制されている。
【００３１】
内容物を吐出した後、操作ヘッド１６の押下を解除すると、押下ヘッド１４に作用する上方付勢力により、操作ヘッド１６が、押下ヘッド１４、上係合突部２５および第２操作突片３１を介して上昇移動させられる。図４に示すように、下係合突部２９が、第１操作突片３０の傾斜縁３０ａに到達するまで、操作ヘッド１６が上昇移動すると、付勢部材２７の復元力により、下係合突部２９が傾斜縁３０ａに摺接して支持部材２６が後側に向けて揺動することで、支持部材２６が復元変位し、通過孔３５から突出していたノズル筒１３が外容器１７内に収容されるとともに操作ヘッド１６が押下ヘッド１４に対して更に上昇移動させられ、この吐出容器１０が再び図１に示すような待機状態に戻る。
この吐出容器１０では、操作ヘッド１６を押下することで、ノズル筒１３を通過孔３５から突出させて容器本体１１を突出姿勢とした後に内容物を吐出し、その後、操作ヘッド１６の押下を解除することで、ノズル筒１３を外容器１７内に収容する。
【００３２】
以上説明したように、本実施形態に係る吐出容器１０によれば、単に外容器１７の操作ヘッド１６を押下することで、ノズル筒１３を通過孔３５から突出させて内容物を吐出することができ、かつ、操作ヘッド１６の押下を解除することで、通過孔３５から突出していたノズル筒１３を外容器１７内に収容することができる。これにより、内容物を吐出する前の待機状態で、ノズル筒１３が邪魔にならず、吐出容器１０の見映えの悪化を防ぐことができるだけでなく、優れた操作性を具備させることができる。
【００３３】
また操作ヘッド１６が、第１操作突片３０によって容器本体１１を揺動させる一方、第２操作突片３１によって押下ヘッド１４を押下させるので、第１操作突片３０と第２操作突片３１とをそれぞれ適宜設計することで、容器本体１１の揺動および押下ヘッド１４の押下それぞれの程度を個別に調整することが可能になり、より優れた操作性を具備させることができる。
【００３４】
また、第２操作突片３１が押下ヘッド１４を押下するときに、第１操作突片３０の前端縁が下係合突部２９に摺接することで、支持部材２６が復元変位するように容器本体１１が揺動することが規制するので、操作ヘッド１６が、第２操作突片３１を介して押下ヘッド１４を押下するときに、操作性を確保しつつ容器本体１１を安定に突出姿勢に保持することができる。
【００３５】
（第２実施形態）
次に、図８から図１５を参照し、本発明の第２実施形態に係る吐出容器１０を説明する。
なお、この第２実施形態においては、第１実施形態における構成要素と同一の部分については同一の符号を付し、その説明を省略し、異なる点についてのみ説明する。
【００３６】
本実施形態の吐出容器４０に係る吐出器１５では、押下ヘッド１４が押下される前後で、ノズル筒１３の上下位置が同等に保持される。
図８および図９に示すように、吐出器１５は、容器本体１１の本体部３６内に配置されたシリンダ４１と、上方付勢状態でシリンダ４１内に配置されシリンダ４１内を上下摺動するピストン４２と、ピストン４２の上下摺動をガイドするピストンガイド４３と、を更に備えている。
【００３７】
シリンダ４１の上端部は、装着キャップ１２によって本体部３６の口部に固定されている。シリンダ４１の下端部は、本体部３６内に連通可能とされていて、この下端部内には、この下端部を、シリンダ４１内の圧力に応じて開閉する弁体４４が設けられている。
【００３８】
ピストンガイド４３は、シリンダ４１内に挿通された筒状に形成されていて、ピストンガイド４３の上端部は、装着キャップ１２から上側に突出している。ピストンガイド４３の外周面には、フランジ部４５が突設されていて、このフランジ部４５が、装着キャップ１２によって本体部３６の口部に固定されている。
ピストン４２は、シリンダ４１に内側から嵌合し、かつピストンガイド４３の外側から嵌合する筒状に形成されている。
【００３９】
押下ヘッド１４は、ノズル筒１３に加えて、ヘッド本体４６と、作動部材４７と、接続部材４８と、弁部４９と、を更に備えている。
ヘッド本体４６の下部は、前記フランジ部４５に形成された複数の貫通開口４５ａを通してシリンダ４１内に進入している。ヘッド本体４６は、ピストン４２を連係して移動させ、このヘッド本体４６の下降移動に伴って、ピストン４２を下降移動させる。
【００４０】
作動部材４７は、有頂筒状に形成されてヘッド本体４６の上部に外側から嵌合されている。作動部材４７の外周面には、前記上係合突部２５が設けられていて、作動部材４７は、操作ヘッド１６の下降移動に伴って、前記第２操作突片３１および上係合突部２５を介して下降移動させられる。なお図示の例では、第２操作突片３１を、前記平面視において後側に向けて開口するＣ字状に形成するのに代えて、押下ヘッド１４の左右両側に各別に独立して一対設けている。
【００４１】
ノズル筒１３は、ヘッド本体４６の内部から作動部材４７を通して前側に向けて突出している。
接続部材４８は、ヘッド本体４６内に配置されている。接続部材４８は、ピストンガイド４３に支持されていて、ヘッド本体４６とは非連係とされヘッド本体４６から独立している。接続部材４８は、ピストンガイド４３の上端部とノズル筒１３の後端部とを接続していて、ピストンガイド４３内とノズル筒１３内とを連通している。
【００４２】
弁部４９は、前後方向に延びる棒状に形成されていて、ノズル筒１３内および接続部材４８内に、前方付勢状態で収容されている。弁部４９の前端部は、吐出孔１３ａを開閉可能に閉塞し、弁部４９の後端部は、接続部材４８から後側に向けて突出していて、弁部４９の前端部は、この弁部４９の後端部が後側に向けて移動させられたときに、吐出孔１３ａを開放する。
そして作動部材４７の頂壁部には、この作動部材４７のヘッド本体４６に対する下降移動に伴って弁部４９の後端部を後側に向けて移動させる垂下部５０が垂下されている。
【００４３】
以上説明したように、本実施形態に係る吐出容器４０によれば、外容器１７の操作ヘッド１６を押下して押下ヘッド１４に対して下降移動させると、操作ヘッド１６の第１操作突片３０が、支持部材２６の下係合突部２９に摺接することで、支持部材２６が容器本体１１を揺動させ、図１０および図１１に示すように、吐出器１５のノズル筒１３が通過孔３５から突出する。
【００４４】
このような突出姿勢の容器本体１１において、押下ヘッド１４の上係合突部２５は、第２操作突片３１の係合凹部３４内に進入しこの係合凹部３４に係合する。図１２および図１３に示すように、操作ヘッド１６が更に下降移動し、押下ヘッド１４が、操作ヘッド１６の第２操作突片３１および上係合突部２５を介して押下されると、まず、作動部材４７がヘッド本体４６に対して下降移動して、垂下部５０が弁部４９の後端部を後側に向けて移動させて弁部４９が吐出孔１３ａを開放する。
【００４５】
その後、図１４および図１５に示すように、操作ヘッド１６が更に下降移動すると、作動部材４７とともにヘッド本体４６が下降移動する。すると、ヘッド本体４６に連係してピストン４２が下降移動してシリンダ４１内の圧力が上昇し、シリンダ４１内の内容物が、接続部材４８およびノズル筒１３を通して吐出孔１３ａから吐出される。このとき、接続部材４８およびノズル筒１３は下降移動せず、接続部材４８およびノズル筒１３の外容器軸Ｏ１方向に沿った位置は維持され、押下ヘッド１４が押下される前後で、ノズル筒１３の上下位置が同等に保持される。これにより、更なる操作性の向上を図ることができる。
【００４６】
なお、本発明の技術的範囲は前記実施形態に限定されるものではなく、本発明の趣旨を逸脱しない範囲において種々の変更を加えることが可能である。
【００４７】
前記実施形態では、付勢部材２７を板バネにより構成したが、本発明はこれに限られない。例えば、付勢部材をコイルスプリング等により構成してもよい。
【００４８】
また前記実施形態では、操作ヘッド１６が押下ヘッド１４を、第２操作突片３１および上係合突部２５を介して押下するが、本発明はこれに限られない。例えば、操作ヘッドの頂壁部が押下ヘッドの頂壁部を押下してもよく、操作ヘッドは、操作ヘッドの押下ヘッドに対する下降移動に伴い、押下ヘッドを押下する押下部を備えた他の構成に適宜変更することができる。
【００４９】
また前記実施形態では、操作ヘッド１６を押下することで、ノズル筒１３を通過孔３５から突出させて容器本体１１を突出姿勢とした後に内容物を吐出するが、本発明はこれに限られない。例えば、ノズル筒を通過孔から突出させている途中から内容物を吐出するように構成してもよい。
【００５０】
また前記実施形態では、操作ヘッド１６が、本体筒部１８内に嵌合されているが、例えば、操作ヘッドが、本体筒部に外側から嵌合していてもよい。
【００５１】
また前記実施形態では、本体孔２０は、外容器軸Ｏ１方向に長い長穴状に形成されているが、本発明はこれに限られない。例えば、本体孔が、この吐出容器を前側から見た正面視において、真円形状に形成されていてもよい。
さらに前記実施形態では、貫通孔２２は、外容器軸Ｏ１方向に延びるとともに下側に向けて開口する長穴状に形成されているが、本発明はこれに限られない。例えば、貫通孔が、下側に向けて開口していなくてもよく、この吐出容器を前側から見た正面視において、真円形状に形成されていてもよい。
さらにまた前記実施形態では、通過孔３５が、本体孔２０および貫通孔２２により構成されているが、本発明はこれに限られない。例えば、通過孔が本体孔のみによって構成されていてもよく、通過孔が貫通孔のみによって構成されていてもよい。
【００５２】
また前記実施形態では、ノズル筒１３の中心軸は、内容器軸Ｏ２に直交しているが、本発明はこれに限られず、ノズル筒の中心軸が、内容器軸に交差する他の構成に適宜変更することができる。
【００５３】
また容器本体１１として、例えば、ブロー成形容器、中皿摺動式容器、または積層剥離容器等、種々の構成を採用することができる。
また吐出器１５として、いわゆるポンプ機構を有する構成に限らず、例えばエアゾール機構を有する構成等を採用しても良い。
【００５４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５５】
１０、４０  吐出容器
１１  容器本体
１３  ノズル筒
１３ａ  吐出孔
１４  押下ヘッド
１５  吐出器
１６  操作ヘッド
１７  外容器
２６  支持部材
２７  付勢部材
２９  下係合突部（第１係合突部）
３０  第１操作突片
３１  第２操作突片（押下部）
３５  通過孔
【図１】
2015143121.tif 000003
【図２】
2015143121.tif 000004
【図３】
2015143121.tif 000005
【図４】
2015143121.tif 000006
【図５】
2015143121.tif 000007
【図６】
2015143121.tif 000008
【図７】
2015143121.tif 000009
【図８】
2015143121.tif 000010
【図９】
2015143121.tif 000011
【図１０】
2015143121.tif 000012
【図１１】
2015143121.tif 000013
【図１２】
2015143121.tif 000014
【図１３】
2015143121.tif 000015
【図１４】
2015143121.tif 000016
【図１５】
2015143121.tif 000017